(57)【要約】【課題】スイッチング素子ユニットで発生したノイズの放出量を少なく抑えることができるインバータ装置を提供する。【解決手段】インバータ回路を構成する複数のスイッチング素子を有するスイッチング素子ユニット１と、インバータ回路の直流側の電圧を平滑化する平滑コンデンサ２と、インバータ回路の直流側のノイズを低減するノイズフィルタ３と、を備えたインバータ装置１００であって、スイッチング素子ユニット１と、平滑コンデンサ２と、ノイズフィルタ３と、を電気的に接続する接続部材５を更に備え、スイッチング素子ユニット１とノイズフィルタ３との接続部材５を介した接続経路の長さが、平滑コンデンサ２とノイズフィルタ３との接続部材５を介した接続経路の長さよりも小さい。【選択図】図５
2020048248.tif 000002
【特許請求の範囲】
【請求項１】
インバータ回路を構成する複数のスイッチング素子を有するスイッチング素子ユニットと、前記インバータ回路の直流側の電圧を平滑化する平滑コンデンサと、前記インバータ回路の直流側のノイズを低減するノイズフィルタと、を備えたインバータ装置であって、
前記スイッチング素子ユニットと、前記平滑コンデンサと、前記ノイズフィルタと、を電気的に接続する接続部材を更に備え、
前記スイッチング素子ユニットと前記ノイズフィルタとの前記接続部材を介した接続経路の長さが、前記平滑コンデンサと前記ノイズフィルタとの前記接続部材を介した接続経路の長さよりも小さい、インバータ装置。
【請求項２】
前記スイッチング素子ユニットと前記平滑コンデンサとが、第１方向視で重複するように配置され、
前記ノイズフィルタが、前記第１方向視で前記スイッチング素子ユニットと重複せず、前記第１方向に直交する第２方向視で前記スイッチング素子ユニットと重複するように、前記スイッチング素子ユニットと前記第２方向に隣接して配置されている、請求項１に記載のインバータ装置。
【請求項３】
前記接続部材は、前記第２方向における前記スイッチング素子ユニットと前記ノイズフィルタとの間を通るように配置されている、請求項２に記載のインバータ装置。
【請求項４】
直流電源に電気的に接続される電源接続端子を更に備え、
前記電源接続端子、前記ノイズフィルタ、前記スイッチング素子ユニットの順に、前記第２方向に並んで配置されている、請求項２又は３に記載のインバータ装置。
【請求項５】
前記接続部材は、前記平滑コンデンサから突出する突出部を有し、
前記突出部における前記平滑コンデンサとの接続部側とは反対側の端部に、前記ノイズフィルタに接続されるフィルタ側接続端子が設けられ、
前記突出部における前記平滑コンデンサとの接続部と前記フィルタ側接続端子との間の部分に、前記スイッチング素子ユニットの直流側接続端子が直接接続されている、請求項１から４のいずれか一項に記載のインバータ装置。
【発明の詳細な説明】
【技術分野】
【０００１】
本発明は、インバータ回路を構成する複数のスイッチング素子を有するスイッチング素子ユニットと、インバータ回路の直流側の電圧を平滑化する平滑コンデンサと、インバータ回路の直流側のノイズを低減するノイズフィルタと、を備えたインバータ装置に関する。
【背景技術】
【０００２】
このようなインバータ装置の一例が、下記の特許文献１に開示されている。以下、この背景技術の欄の説明では、特許文献１における部材名及び符号を括弧内に引用する。
【０００３】
特許文献１のインバータ装置（電力変換装置１００）においては、平滑コンデンサ（コンデンサモジュール５０６）に、スイッチング素子ユニット（パワーモジュール５０７）に接続される端子と、ノイズフィルタ（ＥＭＣフィルタ５１０２）に接続される端子とが、互いに異なる方向に突出するように設けられている。そして、平滑コンデンサ（コンデンサモジュール５０６）を介して、スイッチング素子ユニット（パワーモジュール５０７）とノイズフィルタ（ＥＭＣフィルタ５１０２）とが接続されている。
【０００４】
そのため、特許文献１のインバータ装置（電力変換装置１００）では、ノイズフィルタ（ＥＭＣフィルタ５１０２）がスイッチング素子ユニット（パワーモジュール５０７）から比較的離れた位置に配置されている。つまり、ノイズの発生源であるスイッチング素子ユニット（パワーモジュール５０７）と、ノイズを除去するためのノイズフィルタ（ＥＭＣフィルタ５１０２）との接続経路の長さが比較的大きい。よって、特許文献１のインバータ装置（電力変換装置１００）では、スイッチング素子ユニット（パワーモジュール５０７）で発生したノイズの放出量が多くなり易いという課題があった。
【先行技術文献】
【特許文献】
【０００５】
【特許文献１】特開２００９−２６１１３９号公報（図４）
【発明の概要】
【発明が解決しようとする課題】
【０００６】
そこで、スイッチング素子ユニットで発生したノイズの放出量を少なく抑えることができるインバータ装置の実現が望まれる。
【課題を解決するための手段】
【０００７】
上記に鑑みた、インバータ装置の特徴構成は、
インバータ回路を構成する複数のスイッチング素子を有するスイッチング素子ユニットと、前記インバータ回路の直流側の電圧を平滑化する平滑コンデンサと、前記インバータ回路の直流側のノイズを低減するノイズフィルタと、を備えたインバータ装置であって、
前記スイッチング素子ユニットと、前記平滑コンデンサと、前記ノイズフィルタと、を電気的に接続する接続部材を更に備え、
前記スイッチング素子ユニットと前記ノイズフィルタとの前記接続部材を介した接続経路の長さが、前記平滑コンデンサと前記ノイズフィルタとの前記接続部材を介した接続経路の長さよりも小さい点にある。
【０００８】
この特徴構成によれば、スイッチング素子ユニットと平滑コンデンサとノイズフィルタとが接続部材によって電気的に接続されている。そのため、スイッチング素子ユニットの直流側のノイズをノイズフィルタによって低減することができる。更に、本構成によれば、スイッチング素子ユニットとノイズフィルタとの接続部材を介した接続経路の長さが、平滑コンデンサとノイズフィルタとの接続部材を介した接続経路の長さよりも小さい。そのため、スイッチング素子ユニットとノイズフィルタとの接続経路の長さを小さく抑えることが容易となる。したがって、本構成によれば、スイッチング素子ユニットで発生したノイズの放出量を少なく抑えることができる。
【図面の簡単な説明】
【０００９】
【図１】実施形態に係るインバータ装置を備えた車両用駆動装置の平面図
【図２】図１におけるＩＩ−ＩＩ断面図
【図３】実施形態に係るインバータ装置を備えた車両用駆動装置のスケルトン図
【図４】実施形態に係るインバータ装置の回路を示す模式図
【図５】実施形態に係るインバータ装置の斜視図
【図６】スイッチング素子ユニットと平滑コンデンサと接続部材とを示す斜視図
【図７】スイッチング素子ユニットと平滑コンデンサとを示す斜視図
【図８】別実施形態に係るインバータ装置を示す平面図
【発明を実施するための形態】
【００１０】
以下では、実施形態に係るインバータ装置１００について図面を参照して説明する。図１及び図２に示すように、本実施形態では、インバータ装置１００は、回転電機ＭＧ（図３参照）を備えた車両用駆動装置Ｄに設けられている。
【００１１】
まず、車両用駆動装置Ｄについて説明する。車両用駆動装置Ｄは、回転電機ＭＧを車輪Ｗの駆動力源とする車両に搭載される駆動装置である。図３に示すように、本実施形態では、車両用駆動装置Ｄは、一対の車輪Ｗの駆動力源となる回転電機ＭＧと、回転電機ＭＧに駆動連結された入力軸Ｉと、カウンタギヤ機構ＣＧと、入力軸Ｉ及びカウンタギヤ機構ＣＧを介して伝達される回転電機ＭＧからの駆動力を一対の車輪Ｗのそれぞれに分配する差動歯車装置ＤＦと、を備えている。
【００１２】
ここで、「駆動連結」とは、２つの回転要素が駆動力を伝達可能に連結された状態を指し、当該２つの回転要素が一体的に回転するように連結された状態、或いは当該２つの回転要素が１つ又は２つ以上の伝動部材を介して駆動力を伝達可能に連結された状態を含む。このような伝動部材としては、回転を同速で又は変速して伝達する各種の部材、例えば、軸、歯車機構、ベルト、チェーン等が含まれる。なお、伝動部材として、回転及び駆動力を選択的に伝達する係合装置、例えば、摩擦係合装置、噛み合い式係合装置等が含まれていても良い。
【００１３】
以下の説明では、回転電機ＭＧの軸方向を「左右方向Ｘ」とし、鉛直方向視で左右方向Ｘに直交する方向を「前後方向Ｙ」とする。そして、左右方向Ｘにおいて、回転電機ＭＧに対してカウンタギヤ機構ＣＧ側を「左側Ｘ１」とし、その反対側を「右側Ｘ２」とする。更に、前後方向Ｙにおいて、カウンタギヤ機構ＣＧに対して差動歯車装置ＤＦ側を「前側Ｙ１」とし、カウンタギヤ機構ＣＧに対して回転電機ＭＧ側を「後側Ｙ２」とする。また、鉛直方向を「上下方向Ｚ」とし、上下方向Ｚの上側及び下側をそれぞれ「上側Ｚ１」及び「下側Ｚ２」とする。なお、各部材についての方向は、それらが車両用駆動装置Ｄに組み付けられた状態での方向を表す。また、各部材についての方向や位置等に関する用語は、製造上許容され得る誤差による差異を有する状態をも含む概念である。
【００１４】
回転電機ＭＧは、車輪Ｗの駆動力源として機能する。回転電機ＭＧは、非回転部材（例えば、ケースＣ）に固定されたステータと、当該ステータに対して回転自在に支持されたロータとを有している。
【００１５】
入力軸Ｉは、回転電機ＭＧに駆動連結されている。具体的には、入力軸Ｉは、回転電機ＭＧのロータに連結されている。入力軸Ｉは、回転電機ＭＧと同軸に配置されている。また、入力軸Ｉは、駆動ギヤＤＧに駆動連結されている。駆動ギヤＤＧは、回転電機ＭＧからの駆動力をカウンタギヤ機構ＣＧに伝達するギヤである。
【００１６】
カウンタギヤ機構ＣＧは、第１ギヤＧ１と、第２ギヤＧ２と、カウンタシャフトＣＳと、を有している。第１ギヤＧ１は、カウンタギヤ機構ＣＧの入力要素である。第１ギヤＧ１は、駆動ギヤＤＧと噛み合っている。第２ギヤＧ２は、カウンタギヤ機構ＣＧの出力要素である。第２ギヤＧ２は、差動歯車装置ＤＦの入力要素である差動入力ギヤＩＧと噛み合っている。図示の例では、第２ギヤＧ２は、第１ギヤＧ１よりも小径に形成されている。カウンタシャフトＣＳは、第１ギヤＧ１及び第２ギヤＧ２と一体的に回転するようにそれらを支持している。カウンタシャフトＣＳは、回転電機ＭＧとは別軸に配置されている。
【００１７】
差動歯車装置ＤＦは、車軸ＤＳを介して車輪Ｗに駆動連結されている。差動歯車装置ＤＦは、回転電機ＭＧとは別軸に配置されている。また、差動歯車装置ＤＦは、カウンタギヤ機構ＣＧとも別軸に配置されている。差動歯車装置ＤＦは、例えば、互いに噛合する複数の傘歯車を含んで構成されている。差動歯車装置ＤＦは、差動入力ギヤＩＧに入力される回転及びトルクを一対の車輪Ｗに分配して伝達する。これにより、車両用駆動装置Ｄは、回転電機ＭＧのトルクを一対の車輪Ｗに伝達させて車両を走行させることができる。
【００１８】
図１及び図２に示すように、車両用駆動装置ＤはケースＣを備えている。ケースＣは、インバータ装置１００を収容する第１収容部Ｃ１と、回転電機ＭＧを収容する第２収容部Ｃ２と、カウンタギヤ機構ＣＧ及び差動歯車装置ＤＦを収容する第３収容部Ｃ３と、を有している。
【００１９】
第１収容部Ｃ１は、インバータ装置１００を収容するための空間である。図示の例では、第１収容部Ｃ１の上部が開放されている。この開放部は、第１収容部Ｃ１にインバータ装置１００が収容された状態でカバー（図示を省略）によって塞がれる。第２収容部Ｃ２は、回転電機ＭＧを収容するための空間である。第２収容部Ｃ２は、第１収容部Ｃ１に対して下側Ｚ２であって、ケースＣの前後方向Ｙの中央部よりも後側Ｙ２寄りに配置されている。第３収容部Ｃ３は、カウンタギヤ機構ＣＧ及び差動歯車装置ＤＦを収容するための空間である。第３収容部Ｃ３は、第１収容部Ｃ１に対して下側Ｚ２であって、第２収容部Ｃ２に対して左側Ｘ１に配置されている。
【００２０】
図４に示すように、回転電機ＭＧは、直流交流変換を行うインバータ装置１００を介してバッテリＢＴに電気的に接続されている。そして、回転電機ＭＧは、電力の供給を受けて動力を発生するモータ（電動機）としての機能、及び動力の供給を受けて電力を発生するジェネレータ（発電機）としての機能を有している。つまり、回転電機ＭＧは、インバータ装置１００を介してバッテリＢＴからの電力供給を受けて力行し、或いは、車両の慣性力等により発電した電力を、インバータ装置１００を介してバッテリＢＴに蓄電させる。なお、本実施形態では、バッテリＢＴが「直流電源」に相当する。
【００２１】
本実施形態では、インバータ装置１００は、バッテリＢＴに接続されると共に回転電機ＭＧに接続されて、バッテリＢＴの直流と回転電機ＭＧの複数相（ここでは、Ｕ相、Ｖ相及びＷ相の３相）の交流との間で電力を変換する。インバータ装置１００は、スイッチング素子ユニット１と、平滑コンデンサ２と、ノイズフィルタ３と、を備えている。
【００２２】
スイッチング素子ユニット１は、インバータ回路１１Ｃを構成する複数のスイッチング素子１１を有している。スイッチング素子１１には、ＩＧＢＴ（Insulated Gate Bipolar Transistor）、パワーＭＯＳＦＥＴ（Metal Oxide Semiconductor Field Effect Transistor）、ＳｉＣ−ＭＯＳＦＥＴ（Silicon Carbide - Metal Oxide Semiconductor FET）、ＳｉＣ−ＳＩＴ（SiC - Static Induction Transistor）、ＧａＮ−ＭＯＳＦＥＴ（Gallium Nitride - MOSFET）等の高周波での動作が可能なパワー半導体素子を適用すると好適である。ここでは、スイッチング素子１１としてＩＧＢＴを適用している。複数のスイッチング素子１１のそれぞれには、負極から正極へ向かう方向（下段側から上段側へ向かう方向）を順方向として、並列にフリーホイールダイオード１２が設けられている。
【００２３】
平滑コンデンサ２は、インバータ回路１１Ｃの直流側の電圧（直流リンク電圧）を平滑化するコンデンサである。平滑コンデンサ２は、１つのコンデンサ素子で構成されていれも良いし、２つ以上のコンデンサ素子で構成されていても良い。
【００２４】
ノイズフィルタ３は、インバータ回路１１Ｃの直流側のノイズを低減するフィルタである。ノイズフィルタ３としては、例えば、インダクタ及びコンデンサを有するＥＭＩ（Electromagnetic Interference）フィルタを採用可能であり、Ｉ型、Ｔ型等の種類を問わない。
【００２５】
図１及び図２に示すように、本実施形態では、スイッチング素子ユニット１と平滑コンデンサ２とが、上下方向Ｚ視で重複するように配置されている。ここでは、スイッチング素子ユニット１は、平滑コンデンサ２に対して上側Ｚ１に配置されている。なお、上下方向Ｚは、「第１方向」に相当する。ここで、２つの部材の配置に関して、「特定方向視で重複する」とは、その視線方向に平行な仮想直線を当該仮想直線と直交する各方向に移動させた場合に、当該仮想直線が２つの部材の双方に交わる領域が少なくとも一部に存在することを指す。
【００２６】
また、本実施形態では、ノイズフィルタ３が、上下方向Ｚ視でスイッチング素子ユニット１と重複せず、左右方向Ｘ視でスイッチング素子ユニット１と重複するように、スイッチング素子ユニット１と左右方向Ｘに隣接して配置されている。ここでは、ノイズフィルタ３は、スイッチング素子ユニット１に対して左側Ｘ１に隣接して配置されている。なお、左右方向Ｘは、第１方向に直交する「第２方向」に相当する。
【００２７】
本実施形態では、インバータ装置１００は、バッテリＢＴ（図４参照）に電気的に接続される電源接続端子４を備えている。電源接続端子４は、ケースＣから左側Ｘ１に突出するように設けられている。具体的には、ケースＣにおける第１収容部Ｃ１を構成する外壁部の左側Ｘ１の部分を第１正極部材４Ｐａ及び第１負極部材４Ｎａが左右方向Ｘに貫通し、当該第１正極部材４Ｐａ及び第１負極部材４Ｎａの左側Ｘ１の端部が電源接続端子４として機能する。
【００２８】
なお、第１正極部材４Ｐａは、左右方向Ｘに延在する第２正極部材４Ｐｂ及び第３正極部材４Ｐｃを介して、ノイズフィルタ３の電源側正極端子３ＰＴａに電気的に接続されている。電源側正極端子３ＰＴａは、ノイズフィルタ３から前側Ｙ１に突出し、ボルト等の固定部材によって第３正極部材４Ｐｃの右側Ｘ２の端部に固定される。また、第１負極部材４Ｎａは、左右方向Ｘに延在する第２負極部材４Ｎｂ及び第３負極部材４Ｎｃを介して、ノイズフィルタ３の電源側負極端子３ＮＴａに電気的に接続されている。電源側負極端子３ＮＴａは、ノイズフィルタ３から前側Ｙ１に突出し、ボルト等の固定部材によって第３負極部材４Ｎｃの右側Ｘ２の端部に固定される。
【００２９】
前述のように、本実施形態では、第１収容部Ｃ１に収容されたノイズフィルタ３及びスイッチング素子ユニット１は、スイッチング素子ユニット１に対してノイズフィルタ３が左側Ｘ１に隣接するように配置されている。そのため、電源接続端子４、ノイズフィルタ３、及びスイッチング素子ユニット１が、記載順に、左右方向Ｘに並んで配置されている。
【００３０】
本実施形態では、スイッチング素子ユニット１、平滑コンデンサ２、及びノイズフィルタ３は、ブラケットＢを介してケースＣに固定されている。ブラケットＢは、左右方向Ｘ及び前後方向Ｙに延在する板状に形成されている。ブラケットＢは、ボルト等の固定部材によってケースＣに固定される。
【００３１】
平滑コンデンサ２は、ブラケットＢの下側Ｚ２に配置され、ボルト等の固定部材によってブラケットＢに固定される。具体的には、平滑コンデンサ２は、左右方向Ｘに突出する複数の載置部２ａを有し、ブラケットＢは、複数の載置部２ａに対応する位置において下側Ｚ２に突出する複数の突起部Ｂａを有している。そして、複数の載置部２ａのそれぞれに突起部Ｂａが載置された状態で、それらがボルト等の固定部材によって固定される。
【００３２】
スイッチング素子ユニット１及びノイズフィルタ３は、ブラケットＢの上側Ｚ１に配置され、ボルト等の固定部材によってブラケットＢに固定される。また、スイッチング素子ユニット１には、インバータ回路１１Ｃを制御する制御装置が実装された制御基板１３が接続されている。制御基板１３は、スイッチング素子ユニット１の上側Ｚ１に配置され、ボルト等の固定部材によってスイッチング素子ユニット１に固定されている。
【００３３】
図５に示すように、接続部材５によって、スイッチング素子ユニット１と平滑コンデンサ２とノイズフィルタ３とが電気的に接続されている。本実施形態では、図５から図７に示すように、接続部材５は、第１バスバ６と、第２バスバ７と、を有している。
【００３４】
図７に示すように、第１バスバ６は、平滑コンデンサ２から上側Ｚ１に突出するように設けられている。第１バスバ６は、平滑コンデンサ２から突出する「突出部」に相当する。そして、本実施形態では、第１バスバ６は、左右方向Ｘにおけるスイッチング素子ユニット１とノイズフィルタ３との間を通るように配置されている。また、第１バスバ６は、ブラケットＢを上下方向Ｚに貫通する貫通孔Ｂｂを通るように配置されている（図２参照）。第１バスバ６は、回転電機ＭＧの相数に対応した数の第１正極バスバ６Ｐ及び第１負極バスバ６Ｎを有している。本実施形態では、第１バスバ６は、３組の第１正極バスバ６Ｐ及び第１負極バスバ６Ｎを有している。そして、本例では、３組の第１正極バスバ６Ｐ及び第１負極バスバ６Ｎが、前後方向Ｙに並んで配置されている。
【００３５】
第１正極バスバ６Ｐは、平滑コンデンサ２の内部に設けられて平滑コンデンサ２の正極と電気的に接続された正極導電部材（図示を省略）と接続されている。第１正極バスバ６Ｐは、当該第１正極バスバ６Ｐの突出端部、つまり、第１正極バスバ６Ｐにおける平滑コンデンサ２との接続部側とは反対側の端部が左側Ｘ１に突出するように屈曲されている。そして、この第１正極バスバ６Ｐの突出端部を正極端子６ＰＴとしている。正極端子６ＰＴは、ノイズフィルタ３に接続される「フィルタ側接続端子」に相当する。
【００３６】
第１負極バスバ６Ｎは、平滑コンデンサ２の内部に設けられて平滑コンデンサ２の負極と電気的に接続された負極導電部材（図示を省略）と接続されている。第１負極バスバ６Ｎは、当該第１負極バスバ６Ｎの突出端部、つまり、第１負極バスバ６Ｎにおける平滑コンデンサ２との接続部側とは反対側の端部が左側Ｘ１に突出するように屈曲されている。そして、この第１負極バスバ６Ｎの突出端部を負極端子６ＮＴとしている。負極端子６ＮＴも、正極端子６ＰＴと同様に、ノイズフィルタ３に接続される「フィルタ側接続端子」に相当する。
【００３７】
本実施形態では、正極端子６ＰＴと負極端子６ＮＴとが交互に並ぶように、３組の正極端子６ＰＴ及び負極端子６ＮＴが前後方向Ｙに沿って一列に並んで配置されている。
【００３８】
図５に示すように、第２バスバ７は、第１バスバ６とノイズフィルタ３とを接続するように設けられている。本実施形態では、第２バスバ７は、左右方向Ｘにおけるスイッチング素子ユニット１とノイズフィルタ３との間において前後方向Ｙに延在するように配置されている。図５及び図６に示すように、第２バスバ７は、第２正極バスバ７Ｐと、第２負極バスバ７Ｎと、保持部材７Ｈと、を有している。
【００３９】
第２正極バスバ７Ｐは、第１正極バスバ６Ｐの正極端子６ＰＴに接続される第１正極端子７ＰＴａと、ノイズフィルタ３のユニット側正極端子３ＰＴｂに接続される第２正極端子７ＰＴｂと、を有している。
【００４０】
本実施形態では、第２正極バスバ７Ｐは、前後方向Ｙに沿って延在する正極前後方向延在部７ＰＹ、及び左右方向Ｘに沿って延在する正極左右方向延在部７ＰＸを有し、Ｌ字状に形成されている。
【００４１】
正極前後方向延在部７ＰＹは、左右方向Ｘにおけるスイッチング素子ユニット１とノイズフィルタ３との間に配置されている。正極前後方向延在部７ＰＹには、３つの第１正極端子７ＰＴａが、前後方向Ｙに互いに間隔を空けて右側Ｘ２に突出するように設けられている。第１正極端子７ＰＴａは、第１正極バスバ６Ｐの正極端子６ＰＴの上側Ｚ１に重ねて配置され、ボルト等の固定部材によって正極端子６ＰＴに固定される。
【００４２】
正極左右方向延在部７ＰＸは、ノイズフィルタ３に対して後側Ｙ２に配置されている。正極左右方向延在部７ＰＸの左側Ｘ１の端部には、第２正極端子７ＰＴｂが前側Ｙ１に突出するように設けられている。第２正極端子７ＰＴｂは、ノイズフィルタ３から後側Ｙ２に突出するユニット側正極端子３ＰＴｂに、ボルト等の固定部材によって固定される。
【００４３】
第２負極バスバ７Ｎは、第１負極バスバ６Ｎの負極端子６ＮＴに接続される第１負極端子７ＮＴａと、ノイズフィルタ３のユニット側負極端子３ＮＴｂに接続される第２負極端子７ＮＴｂと、を有している。
【００４４】
本実施形態では、第２負極バスバ７Ｎは、前後方向Ｙに沿って延在する負極前後方向延在部７ＮＹ、及び左右方向Ｘに沿って延在する負極左右方向延在部７ＮＸを有し、Ｌ字状に形成されている。
【００４５】
負極前後方向延在部７ＮＹは、左右方向Ｘにおけるスイッチング素子ユニット１とノイズフィルタ３との間に配置されている。負極前後方向延在部７ＮＹには、３つの第１負極端子７ＮＴａが、前後方向Ｙに互いに間隔を空けて右側Ｘ２に突出するように設けられている。第１負極端子７ＮＴａは、第１負極バスバ６Ｎの負極端子６ＮＴの上側Ｚ１に重ねて配置され、ボルト等の固定部材によって負極端子６ＮＴに固定される。
【００４６】
負極左右方向延在部７ＮＸは、ノイズフィルタ３に対して後側Ｙ２に配置されている。負極左右方向延在部７ＮＸの左側Ｘ１の端部には、第２負極端子７ＮＴｂが前側Ｙ１に突出するように設けられている。第２負極端子７ＮＴｂは、ノイズフィルタ３から後側Ｙ２に突出するユニット側負極端子３ＮＴｂに、ボルト等の固定部材によって固定される。
【００４７】
保持部材７Ｈは、第２正極バスバ７Ｐと第２負極バスバ７Ｎとを互いに隣接させた状態で保持するように構成されている。本実施形態では、保持部材７Ｈに形成された溝部に第２正極バスバ７Ｐ及び第２負極バスバ７Ｎが挿入されることで、第２正極バスバ７Ｐ及び第２負極バスバ７Ｎが保持部材７Ｈによって一体的に保持される。保持部材７Ｈは、電気的絶縁性を有する素材から構成されている。保持部材７Ｈは、第２正極バスバ７Ｐと第２負極バスバ７Ｎとを電気的に絶縁するためのスペーサ部７Ｈａと、ブラケットＢ（図２参照）に固定される固定部７Ｈｂと、を有している。
【００４８】
スペーサ部７Ｈａは、第２正極バスバ７Ｐの正極前後方向延在部７ＰＹに対して第２負極バスバ７Ｎの負極前後方向延在部７ＮＹが左側Ｘ１に隣接すると共に、第２正極バスバ７Ｐの正極左右方向延在部７ＰＸに対して第２負極バスバ７Ｎの負極左右方向延在部７ＮＸが前側Ｙ１に隣接するように、第２正極バスバ７Ｐと第２負極バスバ７Ｎとの間に介装される。これにより、第２正極バスバ７Ｐと第２負極バスバ７Ｎとが、互いに平行状に配置されている。
【００４９】
本実施形態では、第２正極バスバ７Ｐと第２負極バスバ７Ｎとの間にスペーサ部７Ｈａが介装された状態で、各第１正極端子７ＰＴａに対して後側Ｙ２に各第１負極端子７ＮＴａが隣接するように、３組の第１正極端子７ＰＴａ及び第１負極端子７ＮＴａが前後方向Ｙに沿って一列に並んで配置されていると共に、第２正極端子７ＰＴｂに対して右側Ｘ２に第２負極端子７ＮＴｂが隣接して配置されている。
【００５０】
本実施形態では、図２、及び図５から図７に示すように、第１正極バスバ６Ｐにおける平滑コンデンサ２との接続部と正極端子６ＰＴとの間の部分、及び第１負極バスバ６Ｎにおける平滑コンデンサ２との接続部と負極端子６ＮＴとの間の部分のそれぞれに、スイッチング素子ユニット１の直流側接続端子１Ｄが直接接続されている。
【００５１】
図示の例では、第１正極バスバ６Ｐにおけるスイッチング素子ユニット１の接続部分、及び第１負極バスバ６Ｎにおけるスイッチング素子ユニット１の接続部分のそれぞれは、上下方向Ｚに沿って延在しており、当該接続部分に直流側接続端子１Ｄが右側Ｘ２から接触した状態で、第１正極バスバ６Ｐ及び第１負極バスバ６Ｎとスイッチング素子ユニット１とがボルト等の固定部材によって左側Ｘ１から固定される。
【００５２】
そのため、スイッチング素子ユニット１とノイズフィルタ３との接続部材５を介した接続経路の長さは、平滑コンデンサ２とノイズフィルタ３との接続部材５を介した接続経路の長さよりも小さい。具体的には、第１バスバ６におけるスイッチング素子ユニット１の接続位置から平滑コンデンサ２までの距離分、スイッチング素子ユニット１とノイズフィルタ３との接続部材５を介した接続経路の長さが、平滑コンデンサ２とノイズフィルタ３との接続部材５を介した接続経路の長さよりも小さい。
【００５３】
〔その他の実施形態〕
（１）上記の実施形態では、ノイズフィルタ３から後側Ｙ２に突出するユニット側正極端子３ＰＴｂ及びユニット側負極端子３ＮＴｂと、平滑コンデンサ２から上側Ｚ１に突出する第１バスバ６とが、Ｌ字状の第２バスバ７によって接続された構成を例として説明した。しかし、そのような構成に限定されることなく、例えば、図８に示す構成としても良い。図８に示す例では、ノイズフィルタ３のユニット側正極端子３ＰＴｂ及びユニット側負極端子３ＮＴｂが右側Ｘ２に突出するようにノイズフィルタ３が配置されている。そのため、ノイズフィルタ３のユニット側正極端子３ＰＴｂ及びユニット側負極端子３ＮＴｂと第１バスバ６との距離が短くなる。これにより、第２バスバ７の長さを短くすることができる。したがって、スイッチング素子ユニット１とノイズフィルタ３との接続経路の長さを小さく抑えることができる。
【００５４】
（２）上記の実施形態では、接続部材５が互いに接続される第１バスバ６及び第２バスバ７を有する構成を例として説明した。しかし、そのような構成に限定されることなく、第１バスバ６と第２バスバ７とが一体的に形成された構成としても良い。
【００５５】
（３）上記の実施形態では、第２正極バスバ７Ｐ及び第２負極バスバ７Ｎが保持部材７Ｈによって一体的に保持された構成を例として説明した。しかし、そのような構成に限定されることなく、第２バスバ７が保持部材７Ｈを備えず、第２正極バスバ７Ｐ及び第２負極バスバ７Ｎが、それぞれ個別に支持された構成でも良い。
【００５６】
（４）上記の実施形態では、スイッチング素子ユニット１と平滑コンデンサ２とが上下方向Ｚ視で重複するように配置された構成を例として説明した。しかし、そのような構成に限定されることなく、スイッチング素子ユニット１と平滑コンデンサ２とが上下方向Ｚ視で重複しないように配置された構成としても良い。
【００５７】
（５）上記の実施形態では、ノイズフィルタ３が、上下方向Ｚ視でスイッチング素子ユニット１と重複せず、左右方向Ｘ視でスイッチング素子ユニット１と重複するように、スイッチング素子ユニット１と左右方向Ｘに隣接して配置された構成を例として説明した。しかし、そのような構成に限定されることなく、ノイズフィルタ３が上下方向Ｚ視でスイッチング素子ユニット１と重複する位置に配置されても良いし、ノイズフィルタ３が左右方向Ｘ視でスイッチング素子ユニット１と重複しない位置に配置されても良い。
【００５８】
（６）上記の実施形態では、接続部材５が左右方向Ｘにおけるスイッチング素子ユニット１とノイズフィルタ３との間を通るように配置された構成を例として説明した。しかし、そのような構成に限定されることなく、例えば、第１バスバ６がスイッチング素子ユニット１とノイズフィルタ３との間以外の箇所に配置され、第２バスバ７がスイッチング素子ユニット１とノイズフィルタ３との間を通らないように配置された構成としても良い。
【００５９】
（７）上記の実施形態では、電源接続端子４、ノイズフィルタ３、及びスイッチング素子ユニット１の空間的な配置として、これらが記載順に左右方向Ｘに並んで配置された構成を例として説明した。しかし、そのような構成に限定されることなく、これらの配置順及び並び方向は適宜変更可能である。例えば、ノイズフィルタ３、電源接続端子４、スイッチング素子ユニット１の順、或いは、ノイズフィルタ３、スイッチング素子ユニット１、電源接続端子４の順に並んで配置されても良いし、それらが左右方向Ｘではなく前後方向Ｙに並んで配置されていても良い。
【００６０】
（８）上記の実施形態では、第１正極バスバ６Ｐにおける平滑コンデンサ２との接続部と正極端子６ＰＴとの間の部分、及び第１負極バスバ６Ｎにおける平滑コンデンサ２との接続部と負極端子６ＮＴとの間の部分のそれぞれに、スイッチング素子ユニット１の直流側接続端子１Ｄが直接接続された構成を例として説明した。しかし、そのような構成に限定されることなく、例えば、スイッチング素子ユニット１の直流側接続端子１Ｄと、第１正極バスバ６Ｐ及び第１負極バスバ６Ｎとの間に、導電部材が介装されていても良い。
【００６１】
（９）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００６２】
〔上記実施形態の概要〕
以下では、上記において説明したインバータ装置（１００）の概要について説明する。
【００６３】
インバータ装置（１００）は、
インバータ回路（１１Ｃ）を構成する複数のスイッチング素子（１１）を有するスイッチング素子ユニット（１）と、前記インバータ回路（１１Ｃ）の直流側の電圧を平滑化する平滑コンデンサ（２）と、前記インバータ回路（１１Ｃ）の直流側のノイズを低減するノイズフィルタ（３）と、を備えたインバータ装置（１００）であって、
前記スイッチング素子ユニット（１）と、前記平滑コンデンサ（２）と、前記ノイズフィルタ（３）と、を電気的に接続する接続部材（５）を更に備え、
前記スイッチング素子ユニット（１）と前記ノイズフィルタ（３）との前記接続部材（５）を介した接続経路の長さが、前記平滑コンデンサ（２）と前記ノイズフィルタ（３）との前記接続部材（５）を介した接続経路の長さよりも小さい。
【００６４】
この構成によれば、スイッチング素子ユニット（１）と平滑コンデンサ（２）とノイズフィルタ（３）とが接続部材（５）によって電気的に接続されている。そのため、スイッチング素子ユニット（１）の直流側のノイズをノイズフィルタ（３）によって低減することができる。更に、本構成によれば、スイッチング素子ユニット（１）とノイズフィルタ（３）との接続部材（５）を介した接続経路の長さが、平滑コンデンサ（２）とノイズフィルタ（３）との接続部材（５）を介した接続経路の長さよりも小さい。そのため、スイッチング素子ユニット（１）とノイズフィルタ（３）との接続経路の長さを小さく抑えることが容易となる。したがって、本構成によれば、スイッチング素子ユニット（１）で発生したノイズの放出量を少なく抑えることができる。
【００６５】
ここで、前記スイッチング素子ユニット（１）と前記平滑コンデンサ（２）とが、第１方向（Ｚ）視で重複するように配置され、
前記ノイズフィルタ（３）が、前記第１方向（Ｚ）視で前記スイッチング素子ユニット（１）と重複せず、前記第１方向（Ｚ）に直交する第２方向（Ｘ）視で前記スイッチング素子ユニット（１）と重複するように、前記スイッチング素子ユニット（１）と前記第２方向（Ｘ）に隣接して配置されていると好適である。
【００６６】
この構成によれば、平滑コンデンサ（２）が第１方向（Ｚ）視でスイッチング素子ユニット（１）と重複するように配置されているため、第２方向（Ｘ）視でスイッチング素子ユニット（１）と重複するスペースを確保し易い。そして、そのスペースを利用して、ノイズフィルタ（３）がスイッチング素子ユニット（１）と第２方向（Ｘ）に隣接して配置されている。これにより、スイッチング素子ユニット（１）とノイズフィルタ（３）との接続経路の長さを小さく抑えることが更に容易となる。
【００６７】
また、前記接続部材（５）は、前記第２方向（Ｘ）における前記スイッチング素子ユニット（１）と前記ノイズフィルタ（３）との間を通るように配置されていると好適である。
【００６８】
この構成によれば、スイッチング素子ユニット（１）とノイズフィルタ（３）との接続部材（５）を介した接続経路の長さを小さく抑えることが容易となる。したがって、スイッチング素子ユニット（１）で発生したノイズの放出量を少なく抑えることが容易となる。
【００６９】
また、直流電源（ＢＴ）に電気的に接続される電源接続端子（４）を更に備え、
前記電源接続端子（４）、前記ノイズフィルタ（３）、前記スイッチング素子ユニット（１）の順に、前記第２方向（Ｘ）に並んで配置されていると好適である。
【００７０】
この構成によれば、スイッチング素子ユニット（１）と直流電源（ＢＴ）との間にノイズフィルタ（３）を接続した構成を容易に実現することができる。また、この構成によれば、ノイズフィルタ（３）がスイッチング素子ユニット（１）に対して第２方向（Ｘ）に隣接して配置された構成も容易に実現することができる。
【００７１】
また、前記接続部材（５）は、前記平滑コンデンサ（２）から突出する突出部（６）を有し、
前記突出部（６）における前記平滑コンデンサ（２）との接続部側とは反対側の端部に、前記ノイズフィルタ（３）に接続されるフィルタ側接続端子（６ＰＴ，６ＮＴ）が設けられ、
前記突出部（６）における前記平滑コンデンサ（２）との接続部と前記フィルタ側接続端子（６ＰＴ，６ＮＴ）との間の部分に、前記スイッチング素子ユニット（１）の直流側接続端子（１Ｄ）が直接接続されていると好適である。
【００７２】
この構成によれば、平滑コンデンサ（２）から突出する接続部材（５）としての突出部（６）を利用して、スイッチング素子ユニット（１）と平滑コンデンサ（２）とノイズフィルタ（３）とを適切に接続することができる。更に、この構成によれば、突出部（６）におけるスイッチング素子ユニット（１）の接続位置から平滑コンデンサ（２）までの距離分、スイッチング素子ユニット（１）とノイズフィルタ（３）との接続経路の長さを、平滑コンデンサ（２）とノイズフィルタ（３）との接続経路の長さよりも短くすることができる。したがって、スイッチング素子ユニット（１）とノイズフィルタ（３）との接続経路の長さを小さく抑えることが更に容易となる。
【産業上の利用可能性】
【００７３】
本開示に係る技術は、インバータ回路を構成する複数のスイッチング素子を有するスイッチング素子ユニットと、インバータ回路の直流側の電圧を平滑化する平滑コンデンサと、インバータ回路の直流側のノイズを低減するノイズフィルタと、を備えたインバータ装置に利用することができる。
【符号の説明】
【００７４】
１００  ：インバータ装置
１      ：スイッチング素子ユニット
１Ｄ    ：直流側接続端子
１１    ：スイッチング素子
２      ：平滑コンデンサ
３      ：ノイズフィルタ
４      ：電源接続端子
５      ：接続部材
６      ：第１バスバ
６Ｐ    ：第１正極バスバ
６ＰＴ  ：正極端子（フィルタ側接続端子）
６Ｎ    ：第１負極バスバ
６ＮＴ  ：負極端子（フィルタ側接続端子）
７      ：第２バスバ
７Ｐ    ：第２正極バスバ
７Ｎ    ：第２負極バスバ
Ｘ      ：左右方向（第２方向）
Ｙ      ：前後方向
Ｚ      ：上下方向（第１方向）
【図１】
2020048248.tif 000003
【図２】
2020048248.tif 000004
【図３】
2020048248.tif 000005
【図４】
2020048248.tif 000006
【図５】
2020048248.tif 000007
【図６】
2020048248.tif 000008
【図７】
2020048248.tif 000009
【図８】
2020048248.tif 000010